【手続補正書】
【提出日】平成15年11月12日(2003.11.12)
【手続補正１】
【補正対象書類名】明細書
【補正対象項目名】全文
【補正方法】変更
【補正の内容】
【発明の名称】加熱調理器
【特許請求の範囲】
【請求項１】基体と、この基体の後部に設けられた下部ヒンジ部材及びこの下部ヒンジ部材に対して回動自在に軸支された上部ヒンジ部材より成るヒンジ機構と、上方が開口した箱状のケースと、下方が開口し前記ケースの開口を開閉する箱状の蓋体と、前記ヒンジ機構に取り付けられると共に前記ケースと蓋体によって形成される空間内に配設される熱源を備えた加熱調理器において、前記蓋体の後部に蓋体用固定孔を形成すると共に、前記蓋体用固定孔に対して係脱自在な蓋体支持手段を前記上部ヒンジ部材の正面側に設けたことを特徴とする加熱調理器。
【請求項２】基体と、この基体の後部に設けられた下部ヒンジ部材及びこの下部ヒンジ部材に対して回動自在に軸支された上部ヒンジ部材より成るヒンジ機構と、上方が開口した箱状のケースと、下方が開口し前記ケースの開口を開閉する箱状の蓋体と、前記ヒンジ機構に取り付けられると共に前記ケースと蓋体によって形成される空間内に配設される熱源を備えた加熱調理器において、前記ケースの後部にケース用固定孔を形成すると共に、前記ケース用固定孔に対して係脱自在なケース支持手段を前記下部ヒンジ部材の正面側に設けたことを特徴とする加熱調理器。
【請求項３】前記蓋体又はケースの後部に熱源通し孔を形成すると共に、該熱源通し孔と前記蓋体用固定孔又はケース用固定孔とを一体に形成したことを特徴とする請求項１又は２記載の加熱調理器。
【発明の詳細な説明】
【０００１】
【発明が属する技術分野】
本発明は、電気ロースター等の加熱調理器に関するものである。
【０００２】
【発明が解決しようとする課題】
従来この種の加熱調理器として、例えば特公平６−８７号公報等に記載されているものが知られている。これらの加熱調理器は、上面が開口された箱状の本体ケースと、下面が開口された箱状の蓋体と、前記本体ケースの後部外側に設けられた下側ヒンジ部材と、この下側ヒンジ部材に対して回動自在に軸支される上側ヒンジ部材と、この上側ヒンジ部材に対して前記蓋体を着脱自在に取り付ける蓋体支持手段を前記蓋体の外部に備えたものである。そして、このように構成することにより、加熱調理終了後に蓋体を上側ヒンジから取り外し、洗浄することが容易にできる。
【０００３】
しかしながらこのような構成においては、前記蓋体の外部に蓋体支持手段が突出してしまうため、蓋体洗浄時に邪魔になってしまうという問題があるばかりでなく、上側ヒンジ部材に前記蓋体支持手段を保持する手段を設けなければならず、構造が複雑でコストアップの要因となっていた。
【０００４】
本発明は以上の問題点を解決し、蓋体、ケースを取り外して容易に洗浄できると共に、安価に構成できる加熱調理器を提供することを目的とする。
【０００５】
【課題を解決するための手段】
請求項１記載の本発明の加熱調理器は、基体と、この基体の後部に設けられた下部ヒンジ部材及びこの下部ヒンジ部材に対して回動自在に軸支された上部ヒンジ部材より成るヒンジ機構と、上方が開口した箱状のケースと、下方が開口し前記ケースの開口を開閉する箱状の蓋体と、前記ヒンジ機構に取り付けられると共に前記ケースと蓋体によって形成される空間内に配設される熱源を備えた加熱調理器において、前記蓋体の後部に蓋体用固定孔を形成すると共に、前記蓋体用固定孔に対して係脱自在な蓋体支持手段を前記上部ヒンジ部材の正面側に設けたものである。
【０００６】
請求項１記載の本発明は以上のように構成することにより、加熱調理終了後、上部ヒンジ部材に形成された蓋体支持手段と蓋体に形成された蓋体用固定孔の係合を解き、蓋体を上部ヒンジ部材から取り外して洗浄する。そして、蓋体を洗浄して乾燥させた後、蓋体用固定孔と上部ヒンジ部材の蓋体支持手段とを再び係合させて、蓋体を上部ヒンジ部材に取り付ける。
【０００７】
また、請求項２記載の本発明の加熱調理器は、基体と、この基体の後部に設けられた下部ヒンジ部材及びこの下部ヒンジ部材に対して回動自在に軸支された上部ヒンジ部材より成るヒンジ機構と、上方が開口した箱状のケースと、下方が開口し前記ケースの開口を開閉する箱状の蓋体と、前記ヒンジ機構に取り付けられると共に前記ケースと蓋体によって形成される空間内に配設される熱源を備えた加熱調理器において、前記ケースの後部にケース用固定孔を形成すると共に、前記ケース用固定孔に対して係脱自在なケース支持手段を前記下部ヒンジ部材の正面側に設けたものである。
【０００８】
請求項２記載の本発明は以上のように構成することにより、加熱調理終了後、下部ヒンジ部材に形成されたケース支持手段とケースに形成されたケース用固定孔の係合を解き、ケースを下部ヒンジ部材から取り外して洗浄する。そして、ケースを洗浄して乾燥させた後、ケース用固定孔と下部ヒンジ部材のケース支持手段とを再び係合させて、ケースを下部ヒンジ部材に取り付ける。
【０００９】
さらに、請求項３記載の本発明の加熱調理器は、請求項１又は２記載の加熱調理器において、前記蓋体又はケースの後部に熱源通し孔を形成すると共に、該熱源通し孔と前記蓋体用固定孔又はケース用固定孔とを一体に形成したものである。
【００１０】
本発明は以上のように構成することにより、熱源通し孔に一体に形成された固定孔に対して前記蓋体支持手段またはケース支持手段を係合させることで、蓋体またはケースを上部または下部ヒンジ部材に対して固定する。
【００１１】
【発明の実施形態】
以下、本発明の実施形態について、図に基づいて説明する。１は基体である。この基体１は、金属製の遮熱板２と、この遮熱板２の左右両側部に設けられた把持部３，４と、前記遮熱板２の後部中央に立設された下部ヒンジ部材５とで構成されている。そして、前記把持部３には操作部６が設けられている。また、前記下部ヒンジ部材５の正面側には、遮蔽板７を介して熱源たる下部ヒータ８がほぼ水平に設けられている。なお、この下部ヒータ８は、線状のヒータを平面的に屈曲した形状に構成されている。また、前記遮蔽板７は後述するケースのヒータ通し孔よりやや大きく形成された横長な形状であり、その左右両側には、一対のケース支持手段９が前方に突出して設けられている。このケース支持手段９は略コ形形状で上下対称な金具により一体に形成され、遮蔽板７に添うように固定した基板９Ａと、この基板９Ａの上部に前方へ斜め上向きで突設した横長な板状の上部上向き突片９Ｂと、この上部上向き突片９Ｂの先端に連設され前方へ斜め下向きで突設した横長な板状の上部下向き突片９Ｃと、この上部下向き突片９Ｃの先端に連設され下向きに折曲した横長な板状の上部折曲突片９Ｄと、同じく基板９Ａの下部に前方へ斜め下向きで突設した横長な板状の下部下向き突片９Ｅと、この下部下向き突片９Ｅの先端に連設され前方へ斜め上向きで突設した横長な板状の下部上向き突片９Ｆと、この下部上向き突片９Ｆの先端に連設され上向きに折曲した横長な板状の下部折曲突片９Ｇとを備えている。また、前記下部ヒンジ部材５の上部には、上部ヒンジ部材10が上下方向に回動可能に軸支されている。そして下部ヒンジ部材５とこの下部ヒンジ部材５に対して回動自在に軸支された上部ヒンジ部材10とでヒンジ機構11が構成されている。また、前記上部ヒンジ部材10の正面側には、遮蔽板12を介して熱源たる上部ヒータ13が設けられている。なお、この上部ヒータ13は、前記下部ヒータ８と同様に、線状のヒータを平面的に屈曲した形状に構成されている。また、前記遮蔽板12は後述する蓋体のヒータ通し孔よりやや大きく形成された横長な形状であり、その左右両側には、一対の蓋体支持手段14が前方に突出して設けられている。この蓋体支持手段14は前記ケース支持手段９と同一形状な上下対称な金具であり、遮蔽板12に添うように固定した基板14Ａと、この基板14Ａの上部に前方へ斜め上向きで突設した横長な板状の上部上向き突片14Ｂと、この上部上向き突片14Ｂの先端に連設され前方へ斜め下向きで突設した横長な板状の上部下向き突片14Ｃと、この上部下向き突片14Ｃの先端に連設され下向きに折曲した横長な板状の上部折曲突片14Ｄと、同じく基板14Ａの下部に前方へ斜め下向きで突設した横長な板状の下部下向き突片14Ｅと、この下部下向き突片14Ｅの先端に連設され前方へ斜め上向きで突設した横長な板状の下部上向き突片14Ｆと、この下部上向き突片14Ｆの先端に連設され上向きに折曲した横長な板状の下部折曲突片14Ｇとを備えて一体に形成されている。
【００１２】
前記基体１の遮熱板２上に載置される前記ケース15は、上方が開口した箱状に形成されており、その後部たるケース後面15Ａには前記ケース支持手段９が係脱自在なケース用固定孔を兼用する横長な下部ヒータ通し孔16が形成されている。そして、ケース15を基体１の遮熱板２上に載置した状態では、前記下部ヒータ８が下部ヒータ通し孔16からケース15内に挿入された状態となっていると共に、前記遮蔽板７によって前記下部ヒータ通し孔16が閉塞されている。さらに前記下部ヒータ通し孔16の縦幅Ａは、上部上向き突片９Ｂの先端と下部下向き突片９Ｅの先端間縦幅Ｂより小さく（Ａ＜Ｂ）、また縦幅Ａは上部上向き突片９Ｂの基端と下部下向き突片９Ｅの基端間縦幅Ｃより大きく（Ａ＞Ｃ）、さらに縦幅Ａは上部下向き突片９Ｃの先端と下部上向き突片９Ｆの先端間縦幅Ｄより大きく形成されている（Ａ＞Ｄ）。また、下部ヒータ通し孔16の縁に形成されたリブのケース後面15Ａからの前方への突出長さＥは、前記ケース後面15Ａとほぼ同一面状に配設される基板９Ａと上部上向き突片９Ｂの先端間距離Ｆより短く形成される（Ｅ＜Ｆ）。従って、前記ケース支持手段９が弾性によって前記ヒータ通し孔16と係合することで、ケース15が下部ヒンジ部材５、ひいては基体１に対して保持されている。
【００１３】
また、前記ケース15の開口を覆うように、蓋体17が上部ヒンジ部材10の前方に取り付けられている。この蓋体17は前記ケース15の開口を開閉可能に下方が開口した箱状に形成されており、その後部たるケース後面17Ａには蓋体用固定孔を兼ねた横長な上部ヒータ通し孔18が形成されている。また、蓋体17の前部には覗き窓19が形成されていると共に、蓋体17の左右両側部には把持部20が設けられている。そして、蓋体17を上部ヒンジ部材10に取り付けた状態では、前記上部ヒータ13がヒータ通し孔18から蓋体17内に挿入された状態となっていると共に、前記遮蔽板12によって前記ヒータ通し孔18が閉塞されている。さらに前記上部ヒータ通し孔18の縦幅Ａ´は、上部上向き突片14Ｂの先端と下部下向き突片14Ｅの先端間縦幅Ｂ´より小さく（Ａ´＜Ｂ´）、また縦幅Ａ´は上部上向き突片14Ｂの基端と下部下向き突片14Ｅの基端間縦幅Ｃ´より大きく（Ａ´＞Ｃ´）、さらに縦幅Ａ´は上部下向き突片14Ｃの先端と下部上向き突片14Ｆの先端間縦幅Ｄ´より大きく形成されている（Ａ´＞Ｄ´）。また、上部ヒータ通し孔18の縁に形成されたリブの蓋体後面17Ａからの前方への突出長さＥ´は、前記ケース後面17Ａとほぼ同一面状に配設される基板14Ａと上部上向き突片14Ｂの先端間距離Ｆ´より短く形成される（Ｅ´＜Ｆ´）。従って、この状態では、前記蓋体支持手段14が弾性によって前記ヒータ通し孔18と係合することで、蓋体17が上部ヒンジ部材10に対して保持されている。
【００１４】
なお、21は前記ケース内の下部ヒータ８上に収容される焼き網である。また、22は前記蓋体17の内部に保持される遮熱板である。
【００１５】
次に前記構成についてその作用を説明する。加熱調理を行う場合は、予め下部ヒータ通し孔16より下部ヒータ８と共にケース支持手段９を挿入して、ケース15を遮熱板２上にセットする。この際、ケース支持手段９を下部ヒータ通し孔16に挿入すると、ケース支持手段９はその縦幅Ｂがいったん狭まり、上部上向き突片９Ｂ、下部下向き突片９Ｅの先端を通過すると今度はケース支持手段９が弾性によって復帰し、この結果下部ヒータ通し孔16の上下先端は上部上向き突片９Ｂ、下部下向き突片９Ｅの途中の部位によって係止して抜け止めされる。同様に、上部ヒータ通し孔18より上部ヒータ13と共に蓋体支持手段14を挿入して、蓋体17をセットする。この際、蓋体支持手段14を上部ヒータ通し孔18に挿入すると、蓋体支持手段14はその縦幅Ｂ´がいったん狭まり、上部上向き突片14Ｂ、下部下向き突片14Ｅの先端を通過すると今度は蓋体支持手段14が弾性によって復帰し、この結果上部ヒータ通し孔18の上下先端は上部上向き突片14Ｂ、下部下向き突片14Ｅの途中の部位によって係止して抜け止めされる。このようにケース15、蓋体17がヒンジ機構11に取り付けられた状態で焼き網21上に被調理物を載置し、そして、ヒンジ機構11によって蓋体17を閉じることにより、ケース15と蓋体17によって形成される空間内に配設された下部ヒータ８、上部ヒータ13に通電、発熱させて加熱調理を行なう。
【００１６】
一方、加熱調理後に蓋体17を開き、被調理物を取り出した後にケース15と蓋体17を夫々洗浄するときは、ケース15、蓋体17をそれぞれ前方へ引き出すと、下部ヒータ通し孔16、上部ヒータ通し孔18によってケース支持手段９、蓋体支持手段14はその縦幅Ｂ、Ｂ´がいったん狭まり、この結果下部ヒータ通し孔16、上部ヒータ通し孔18とケース支持手段９、蓋体支持手段14との係止状態が解除され、下部ヒンジ部材５、上部ヒンジ部材10からケース15、蓋体17を抜き出すことができる。そして、このように取り出したケース15、蓋体17をそれぞれ洗浄するものである。
【００１７】
以上のように、前記実施例では基体１と、この基体１の後部に設けられた下部ヒンジ部材５及びこの下部ヒンジ部材５に対して回動自在に軸支された上部ヒンジ部材10より成るヒンジ機構11と、上方が開口した箱状のケース15と、下方が開口し前記ケース15の開口を開閉する箱状の蓋体17と、ヒンジ機構11に取り付けられると共に前記ケース15と蓋体17によって形成される空間内に配設される下部ヒータ８、上部ヒータ13を備えた加熱調理器において、前記蓋体17のケース後面17Ａに蓋体用固定孔を兼ねた横長な上部ヒータ通し孔18を形成すると共に、上部ヒンジ部材10の正面側に上部ヒータ通し孔18に対して係脱自在な蓋体支持手段14を設けたことにより、蓋体17を上部ヒンジ部材10から取り外して洗浄する際、蓋体17における上部ヒンジ部材10への取り付けのための個所は蓋体用固定孔を兼ねた横長な上部ヒータ通し孔18で済むので、不要な突出物が形成されておらず、この結果洗浄を極力容易にすることができ、乾燥時に場所を取らないようにすることができる。また、蓋体17を上部ヒンジ部材10に取り付ける構造が単純にできるので、加熱調理器を安価に構成することができる。
【００１８】
同様に、前記ケース15のケース後面15Ａにケース用固定孔を兼用する横長な下部ヒータ通し孔16を形成すると共に、下部ヒンジ部材５の正面側に下部ヒータ通し孔16に対して係脱自在なケース支持手段９を設けたことにより、ケース15を下部ヒンジ部材５から取り外して洗浄する際、ケース15における下部ヒンジ部材５への取り付けのための個所はケース用固定孔を兼ねた横長な下部ヒータ通し孔16で済むので、不要な突出物が形成されておらず、この結果洗浄を極力容易にすることができ、乾燥時に場所を取らないようにすることができる。また、ケース15を下部ヒンジ部材５に取り付ける構造が単純にできるので、加熱調理器を安価に構成することができる。
【００１９】
さらに、前記蓋体17又はケース15の後面17Ａ，15Ａに、上部ヒータ13、下部ヒータ８のための上部ヒータ通し孔18、下部ヒータ通し孔16を蓋体用固定孔又はケース用固定孔と兼用して一体に形成したことにより、前記後面17Ａ，15Ａに形成する孔の個所を少なくして加熱調理時の熱の損失等を防止できる。また、蓋体製造時に打ち抜く孔が少なくて済み、蓋体またはケース、ひいては加熱調理器全体をより一層安価に構成することができる。
【００２０】
しかも、前記ケース支持手段９、蓋体支持手段14は、それぞれ上下対称な金具により一体に形成され、遮蔽板７，12に添うように固定した基板９Ａ，14Ａと、この基板９Ａ，14Ａの上部に前方へ斜め上向きで突設した横長な板状の上部上向き突片９Ｂ，14Ｂと、この上部上向き突片９Ｂ，14Ｂの先端に連設され前方へ斜め下向きで突設した横長な板状の上部下向き突片９Ｃ，14Ｃ、この上部下向き突片９Ｃ，14Ｃの先端に連設され下向きに折曲した横長な板状の上部折曲突片９Ｄ，14Ｄと、同じく基板９Ａ，14Ａの下部に前方へ斜め下向きで突設した横長な板状の下部下向き突片９Ｅ，14Ｅと、この下部下向き突片９Ｅ，14Ｅの先端に連設され前方へ斜め上向きで突設した横長な板状の下部上向き突片９Ｆ，14Ｆと、この下部上向き突片９Ｆ，14Ｆの先端に連設され上向きに折曲した横長な板状の下部折曲突片９Ｇ，14Ｇとを備え、そして、下部ヒータ通し孔16、上部ヒータ通し孔18の縦幅Ａ，Ａ´は、上部上向き突片９Ｂ，14Ｂの先端と下部下向き突片９Ｅ，14Ｅの先端間縦幅Ｂ，Ｂ´より小さく（Ａ＜Ｂ，Ａ´＜Ｂ´）、また縦幅Ａ，Ａ´は上部上向き突片９Ｂ，14Ｂの基端と下部下向き突片９Ｅ，14Ｅの基端間縦幅Ｃ，Ｃ´より大きく（Ａ＞Ｃ，Ａ´＞Ｃ´）、さらに縦幅Ａ，Ａ´は上部下向き突片９Ｃ，14Ｃの先端と下部上向き突片９Ｆ，14Ｆの先端間縦幅Ｄ，Ｄ´より大きく形成されている（Ａ＞Ｄ，Ａ´＞Ｄ´）。また、下部ヒータ通し孔16、上部ヒータ通し孔18の縁に形成されたリブのケース後面15Ａ、蓋体後面17Ａからの前方への突出長さＥ，Ｅ´は、前記ケース後面15Ａ、蓋体後面17Ａとほぼ同一面状に配設される基板９Ａ，14Ａと上部上向き突片９Ｂ，14Ｂの先端間距離Ｆ，Ｆ´より短く形成される（Ｅ＜Ｆ，Ｅ´＜Ｆ´）ので、ケース支持手段９、蓋体支持手段14が弾性によって前記ヒータ通し孔16，18と係合することで、ケース15、蓋体17が下部ヒンジ部材５、上部ヒンジ部材10に対して確実に保持される。
【００２１】
尚、本発明は前記実施例に限定されるものではなく、例えばケース支持手段９、蓋体支持手段14は前記略コ形形状のもの以外に、固定孔に対して係脱自在な支持手段であればよく、またケース支持手段９、蓋体支持手段14を下部ヒータ通し孔16、上部ヒータ通し孔18の左右両端にも係止できるようにしてもよい等の変形が可能である。
【００２２】
【発明の効果】
請求項1記載の本発明の加熱調理器は、基体と、この基体の後部に設けられた下部ヒンジ部材及びこの下部ヒンジ部材に対して回動自在に軸支された上部ヒンジ部材より成るヒンジ機構と、上方が開口した箱状のケースと、下方が開口し前記ケースの開口を開閉する箱状の蓋体と、前記ヒンジ機構に取り付けられると共に前記ケースと蓋体によって形成される空間内に配設される熱源を備えた加熱調理器において、前記蓋体の後部に蓋体用固定孔を形成すると共に、前記蓋体用固定孔に対して係脱自在な蓋体支持手段を前記上部ヒンジ部材の正面側に設けたものであり、加熱調理終了後、上部ヒンジ部材に形成された蓋体支持手段と蓋体に形成された蓋体用固定孔の係合を解き、蓋体を上部ヒンジ部材から取り外して洗浄する際、蓋体に不要な突出物が形成されていないため、洗浄を極力容易にすることができ、乾燥時に場所を取らないようにすることができる。また、蓋体を上部ヒンジ部材に取り付ける構造が単純にできるので、加熱調理器を安価に構成することができる。
【００２３】
また、請求項２記載の本発明の加熱調理器は、基体と、この基体の後部に設けられた下部ヒンジ部材及びこの下部ヒンジ部材に対して回動自在に軸支された上部ヒンジ部材より成るヒンジ機構と、上方が開口した箱状のケースと、下方が開口し前記ケースの開口を開閉する箱状の蓋体と、前記ヒンジ機構に取り付けられると共に前記ケースと蓋体によって形成される空間内に配設される熱源を備えた加熱調理器において、前記ケースの後部にケース用固定孔を形成すると共に、前記ケース用固定孔に対して係脱自在なケース支持手段を前記下部ヒンジ部材の正面側に設けたものであり、加熱調理終了後、下部ヒンジ部材に形成されたケース支持手段とケースに形成されたケース用固定孔の係合を解き、ケースを下部ヒンジ部材から取り外して洗浄する際、ケースに不要な突出物が形成されていないため、洗浄を極力容易にすることができ、乾燥時に場所を取らないようにすることができる。また、ケースを下部ヒンジ部材に取り付ける構造が単純にできるので、加熱調理器を安価に構成することができる。
【００２４】
また請求項３記載の本発明の加熱調理器は、請求項１又は２において、前記蓋体又はケースの後部に熱源通し孔を形成すると共に、該熱源通し孔と前記蓋体用固定孔又はケース用固定孔とを一体に形成したものであり、熱源通し孔に一体に形成された前記蓋体用固定孔又はケース用固定孔に対して前記蓋体支持手段、ケース支持手段を係合させることで、蓋体、ケースを上部ヒンジ部材、下部ヒンジ部材に対して固定するので、加熱調理時の熱の損失を少なくできると共に、蓋体、ケース製造時に打ち抜く孔が少なくて済み、蓋体、ケース、ひいては加熱調理器全体をより一層安価に構成することができる。
【図面の簡単な説明】
【図１】本発明の一実施例を示す分解斜視図である。
【図２】同要部の断面図である。
【図３】同斜視図である。
【図４】同正面図である。
【図５】同背面図である
【符号の説明】
１ 基体
５ 下部ヒンジ部材
８ 下部ヒータ（熱源）
９ ケース支持手段
10 上部ヒンジ部材
11 ヒンジ機構
13 上部ヒータ（熱源）
14 蓋体支持手段
15 ケース
15Ａ 後面
16 下部ヒータ通し孔（ケース用固定孔）
17 蓋体
17Ａ 後面
18 上部ヒータ通し孔（蓋体用固定孔）